(57)【要約】【課題】ブレーキ付きモータの回転軸の支持に用いられる転がり軸受からの潤滑剤の流出を防止し、ブレーキの制動を確実に行うことができる転がり軸受およびブレーキ付きモータを提供する。【解決手段】摺動摩擦により制動されるブレーキ板が回転軸３１に取り付けられたモータの回転軸３１を支持する転がり軸受１０は、モータのハウジングに固定される外輪１１と、モータの回転軸３１に固定され、外輪１１との間に複数の転動体１３を介在させて外輪１１に対して回転可能とされた内輪１２と、を備え、外輪１１の内周面にのみ潤滑剤Ｇが塗布されている。【選択図】図１
2008267586.tif 000002
【特許請求の範囲】
【請求項１】
摺動摩擦により制動されるブレーキ板が回転軸に取り付けられたモータの前記回転軸を支持する転がり軸受であって、
前記モータのハウジングに固定される外輪と、
前記モータの回転軸に固定され、前記外輪との間に複数の転動体を介在させて外輪に対して回転可能とされた内輪と、
を備え、
前記外輪の内周面にのみ潤滑剤を塗布したことを特徴とする転がり軸受。
【請求項２】
摺動摩擦により制動されるブレーキ板が回転軸に取り付けられ、請求項１に記載の転がり軸受により前記回転軸が支持されたことを特徴とするブレーキ付きモータ。
【発明の詳細な説明】
【技術分野】
【０００１】
本発明は、転がり軸受およびこの転がり軸受を備えたブレーキ付きモータに関する。
【背景技術】
【０００２】
摺動摩擦により制動されるブレーキ板が回転軸に取り付けられたブレーキ付きモータの回転軸を支持し、グリースなどのペースト状の潤滑剤で潤滑される転がり軸受において、潤滑剤は、一般に図３又は図４に示すように軸受内部に封入されている。
【０００３】
図３に示す転がり軸受５０は、外輪５１と、内輪５２と、外輪５１と内輪５２との間で転動自在に配設された複数の転動体５３と、これら複数の転動体５３を周方向に等間隔に保持する保持器５４と、を備え、潤滑剤Ｇは保持器５４の軸方向端部におけるランダムな位置に塗布されている。尚、外輪５１と内輪５２との間の軸受両端における開口は密封装置により閉塞されている。
【０００４】
また、図４に示す転がり軸受６０は、外輪６１と、内輪６２と、外輪６１と内輪６２との間で転動自在に配設された複数の転動体６３と、これら複数の転動体６３を周方向に等間隔に保持する保持器６４と、を備え、潤滑剤Ｇは保持器６４の軸方向端部において周方向に相隣接する転動体間に塗布されている。尚、外輪６１と内輪６２との間の軸受両端における開口は密封装置により閉塞されている。
【発明の開示】
【発明が解決しようとする課題】
【０００５】
しかしながら、上記のように潤滑剤を塗布した従来の転がり軸受では、軸受外部に潤滑剤が流出しやすく、ブレーキ付きモータの回転軸を支持した場合に、潤滑剤がブレーキ板に付着して、制動に支障をきたす虞があった。
【０００６】
本発明は、上述した事情に鑑みてなされたものであり、その目的は、ブレーキ付きモータの回転軸の支持に用いられる転がり軸受からの潤滑剤の流出を防止し、ブレーキの制動を確実に行うことができる転がり軸受およびブレーキ付きモータを提供することにある。
【課題を解決するための手段】
【０００７】
上記目的は、本発明に係る下記（１）の転がり軸受および下記（２）のブレーキ付きモータにより達成される。
（１）摺動摩擦により制動されるブレーキ板が回転軸に取り付けられたモータの前記回転軸を支持する転がり軸受であって、前記モータのハウジングに固定される外輪と、前記モータの回転軸に固定され、前記外輪との間に複数の転動体を介在させて外輪に対して回転可能とされた内輪と、を備え、前記外輪の内周面にのみ潤滑剤を塗布したことを特徴とする転がり軸受。
（２）摺動摩擦により制動されるブレーキ板が回転軸に取り付けられ、（１）に記載の転がり軸受により前記回転軸が支持されたことを特徴とするブレーキ付きモータ。
【発明の効果】
【０００８】
本発明に係る転がり軸受によれば、固定輪である外輪の内周面にのみ潤滑剤を塗布することで、潤滑剤が回転輪である内輪に接触せず、潤滑に寄与しない潤滑剤の流動を抑制して潤滑剤が軸受外部に流出することを防止することができる。また、潤滑剤が回転輪である内輪に接触しないことからトルク損失を低減でき、軸受内部の発熱量が低減される。それにより、潤滑剤の流動が抑制され、潤滑剤が軸受外部に流出することを防止することができる。かかる転がり軸受でブレーキ付きモータの回転軸を支持するようにすれば、ブレーキ板に潤滑剤が付着することを防止することができ、ブレーキの制動を確実に行うことができる。
【発明を実施するための最良の形態】
【０００９】
以下、図を参照して本発明の好適な実施形態を説明する。
図１は本発明の一実施形態に係る転がり軸受の断面図、図２は図１の転がり軸受の側面図である。
【００１０】
図１に示すように、本実施形態の転がり軸受１０は、ブレーキ付きモータの付図示のハウジングに固定される外輪１１と、ブレーキ付きモータの回転軸３１に固定され、外輪１１との間に複数の転動体である玉１３を介在させて外輪に対して回転可能とされた内輪１２と、外輪１１と内輪１２との間の軸受両端における開口を閉塞する密封装置１４と、複数の玉１３を周方向に等間隔に保持する保持器１５と、を備えた深溝玉軸受である。
【００１１】
外輪１１は、その内周面１６の軸方向中央部に軌道面１７が凹設されており、また、内周面１６の軸方向両端部には密封装置が取り付けられる固定溝１８が形成されている。
【００１２】
内輪１２は、その外周面１９の軸方向中央部に外輪１１の軌道面１７に対向して軌道面２０が凹設されており、また、外周面１９の軸方向両端部に、後述する密封装置１４のリップが摺接する摺接溝２１が形成されている。
【００１３】
複数の玉１３は、外輪１１の軌道面１７と内輪１２の軌道面２０との間で周方向に転動自在に配設されている。
【００１４】
密封装置１４は、例えば円環状に成形された金属製の芯金２２をゴム材や樹脂材で被覆してなり、外周縁部を外輪１１の固定溝１８に嵌着させて外輪１１に固定され、内周縁部に設けられたゴム材や樹脂材からなる弾性のリップ２３を内輪１２のシール溝２１に非接触で僅かな隙間をおいて対向させ、外輪１１と内輪１２との間の軸受両端における開口を閉塞している。
【００１５】
保持器１５は、例えば円環状に成形された金属製の筒材の周方向に等間隔にポケット２４が形成され、ポケット２４内に玉１３をそれぞれ収容し、複数の玉１３を周方向に等間隔に保持している。尚、図示のものは、ポケット２４がいずれも軸方向の一端側（図中右側）に向けて開放されている。
【００１６】
さらに図２を参照して、転がり軸受１０は、固定輪である外輪１１の内周面１６に潤滑剤Ｇが塗布されている。潤滑剤Ｇは、外輪１１の内周面１６において軌道面１７に軸方向に隣接している肩部２５に全周にわたって塗付されている。塗付された潤滑剤Ｇは、回転輪である内輪１２に接触していない。
【００１７】
尚、外輪１１の軌道面１７を挟んで当該軌道面１７の両側に存する肩部２５のうち、図示のものは、ポケット２４が開放されている側の一方の肩部２５に潤滑剤Ｇが塗付されているが、外輪軌道面１７を挟んで反対側の肩部２５に塗付されていてもよく、また、両方の肩部２５に塗付されていてもよい。
【実施例】
【００１８】
次に、本発明に係る転がり軸受の作用効果を確認するために行った実施例について説明する。
【００１９】
実施例の転がり軸受は、外輪の内周面にのみ潤滑剤が塗布された上述の転がり軸受１０である。また、比較例１の転がり軸受は、図３に示した保持器の軸方向端部のランダムな位置に潤滑剤を塗布した転がり軸受５０であり、比較例２の転がり軸受は、図４に示した保持器の軸方向端部において周方向に相隣接する転動体間に潤滑剤を塗布した転がり軸受６０である。実施例および比較例１，２の転がり軸受をそれぞれ８個用意し、下記の試験条件により、潤滑剤の漏れの有無を検査した。検査結果を表１に示す。尚、表１において「○」は潤滑剤の漏れが無いことを示し、「△」は潤滑剤の若干の滲み出しが確認されたことを示し、「×」は潤滑剤の漏れが確認されたことを示す。
＜試験条件＞
回転数：３０００ｒｐｍ（内輪回転）
予圧：４ｋｇｆ
試験時間：３０分
雰囲気温度：８０℃
【００２０】
【表１】
2008267586.tif 000003
【００２１】
表１に示す結果から、固定輪である外輪の内周面にのみ潤滑剤を塗布することで、潤滑剤が軸受外部に流出することを防止できることが確認された。
【００２２】
以上説明したように、本発明に係る転がり軸受によれば、固定輪である外輪の内周面にのみ潤滑剤を塗布することで、潤滑剤が回転輪である内輪に接触せず、潤滑に寄与しない潤滑剤の流動を抑制して潤滑剤が軸受外部に流出することを防止することができる。また、潤滑剤が回転輪である内輪に接触しないことからトルク損失を低減でき、軸受内部の発熱量が低減される。それにより、潤滑剤の流動が抑制され、潤滑剤が軸受外部に流出することを防止することができる。かかる転がり軸受でブレーキ付きモータの回転軸を支持するようにすれば、ブレーキ板に潤滑剤が付着することを防止することができ、ブレーキの制動を確実に行うことができる。
【図面の簡単な説明】
【００２３】
【図１】本発明の一実施形態に係る転がり軸受の断面図である。
【図２】図１の転がり軸受の側面図である。
【図３】従来の転がり軸受の側面図である。
【図４】従来の他の転がり軸受の側面図である。
【符号の説明】
【００２４】
１０    転がり軸受
１１    外輪
１２    内輪
１３    玉（転動体）
１６    外輪の内周面
１９    内輪の外周面
Ｇ      潤滑剤
【図１】
2008267586.tif 000004
【図２】
2008267586.tif 000005
【図３】
2008267586.tif 000006
【図４】
2008267586.tif 000007